(57)【要約】【課題】  本考案は、通気性に富むと共に仰向けに寝ても背中が少し反り返った体勢になることを防いで安眠状態を得やすい布団用ベッドを提供する。【解決手段】  布団用ベッド１０のベッドフレーム１２の第１サイドボード１８と第２サイドボード２０の内側にはクッション受板２２が対向して突設されている。これらクッション受板２２には第１クッション挿入穴２４が布団用ベッド１０の前後方向に沿って形成されている。これら第１クッション挿入穴２４にはクッションゴム２６の下端部が挿入されるようになっている。クッションゴム２６の上にはスノコ３０が載置され、スノコ３０はクッションゴム２６によって確実に保持されるようになっている。前記スノコ３０の上にはメッシュ生地で形成されたメッシュシート３６が配設されるようになっている。【選択図】  図１
0003105850.tif 000002
【実用新案登録請求の範囲】
【請求項１】
ベッドフレームのサイドを形成する第１サイドボード及び第２サイドボードと、これら第１サイドボード及び第２サイドボードの内側にベッド前後方向に沿ってそれぞれ設けられたクッション受板と、これらクッション受板の上面にベッド前後方向に沿って形成された複数のクッション挿入穴と、これらクッション挿入穴に下端部が挿入されてクッション受板に配設される複数のクッションと、これらクッションの上に並んで載置される複数のスノコと、これらスノコの上に配設されると共に布団が敷かれる通気性シートと、を有してなる布団用ベッドであって、前記クッションのうち、ベッドに仰向けに寝た場合に臀部周辺が対応するスノコを支持するクッションを他の身体の部位が対応するスノコを支持するクッションよりも軟質素材で形成してなることを特徴とする布団用ベッド。
【請求項２】
ベッドフレームのサイドを形成する第１サイドボード及び第２サイドボードと、これら第１サイドボード及び第２サイドボードの内側にベッド前後方向に沿ってそれぞれ設けられたクッション受板と、これらクッション受板の上面にベッド前後方向に沿って形成された複数のクッション挿入穴と、これらクッション挿入穴に下端部が挿入されてクッション受板に配設される円柱形状の複数のクッションゴムと、これらクッションゴムの上に並んで載置される複数のスノコと、これらスノコの上に配設されると共に布団が敷かれる通気性シートと、を有してなる布団用ベッドであって、前記クッションゴムのうち、ベッドに仰向けに寝た場合に臀部周辺が対応するスノコを支持するクッションゴムを軟質ゴムで形成し他の身体の部位が対応するスノコを支持するクッションゴムを硬質ゴムで形成してなることを特徴とする布団用ベッド。
【請求項３】
ベッドフレームのサイドを形成する第１サイドボード及び第２サイドボードと、これら第１サイドボード及び第２サイドボードの内側にベッド前後方向に沿ってそれぞれ設けられたクッション受板と、これらクッション受板の上面にベッド前後方向に沿って形成された複数の第１クッション挿入穴と、これら第１クッション挿入穴に下端部が挿入されてクッション受板に配設される円柱形状の複数のクッションゴムと、これらクッションゴムの上に並んで載置されると共に底面に前記クッションゴムの上端部が挿入する第２クッション挿入穴が形成された複数のスノコと、これらスノコの上に配設されると共に布団が敷かれる通気性シートと、を有してなる布団用ベッドであって、前記クッションゴムのうち、ベッドに仰向けに寝た場合に臀部周辺が対応するスノコを支持するクッションゴムを軟質ゴムで形成し他の身体の部位が対応するスノコを支持するクッションゴムを硬質ゴムで形成してなることを特徴とする布団用ベッド。
【請求項４】
前記スノコを桐材で形成したことを特徴とする請求項１、請求項２、請求項３記載の布団用ベッド。
【考案の詳細な説明】
【技術分野】
【０００１】
本考案は、布団等を敷いて使用する布団用ベッドに関する。
【背景技術】
【０００２】
布団を敷いて使用する布団用ベッドが従来より提案されている。従来の布団用ベッドはベッドのベッドフレームに設けられた板部の上に畳等を配設することにより構成されており、使用する場合は前記畳等の上に布団を敷いて使用している。
しかし、上述したように従来の布団用ベッドはベッドフレームに設けた板部に畳等を敷いた構造であるため、通気性に欠けるという不具合がある。
また、従来の布団用ベッドはベッドフレームに設けられた板部に畳等を敷いた構造であるため、仰向けに寝た場合に臀部周辺が出っ張った臀部により少し持ち上がった状態になり、これにより背中が少し反り返った体勢になってしまい安眠を妨げる一因となっている。
【考案の開示】
【考案が解決しようとする課題】
【０００３】
本考案は、上記事実に鑑みなされたものであり通気性に富むと共に仰向けに寝ても背中が少し反り返った体勢になることを防いで安眠状態を得やすい布団用ベッドを提供するものである。
【課題を解決するための手段】
【０００４】
請求項１の考案は、ベッドフレームのサイドを形成する第１サイドボード及び第２サイドボードと、これら第１サイドボード及び第２サイドボードの内側にベッド前後方向に沿ってそれぞれ設けられたクッション受板と、これらクッション受板の上面にベッド前後方向に沿って形成された複数のクッション挿入穴と、これらクッション挿入穴に下端部が挿入されてクッション受板に配設される複数のクッションと、これらクッションの上に並んで載置される複数のスノコと、これらスノコの上に配設されると共に布団が敷かれる通気性シートと、を有してなる布団用ベッドであって、前記クッションのうち、ベッドに仰向けに寝た場合に臀部周辺が対応するスノコを支持するクッションを他の身体の部位が対応するスノコを支持するクッションよりも軟質素材で形成してなることを特徴としている。  請求項２の考案は、ベッドフレームのサイドを形成する第１サイドボード及び第２サイドボードと、これら第１サイドボード及び第２サイドボードの内側にベッド前後方向に沿ってそれぞれ設けられたクッション受板と、これらクッション受板の上面にベッド前後方向に沿って形成された複数のクッション挿入穴と、これらクッション挿入穴に下端部が挿入されてクッション受板に配設される円柱形状の複数のクッションゴムと、これらクッションゴムの上に並んで載置される複数のスノコと、これらスノコの上に配設されると共に布団が敷かれる通気性シートと、を有してなる布団用ベッドであって、前記クッションゴムのうち、ベッドに仰向けに寝た場合に臀部周辺が対応するスノコを支持するクッションゴムを軟質ゴムで形成し他の身体の部位が対応するスノコを支持するクッションゴムを硬質ゴムで形成してなることを特徴としている。
請求項３の考案は、ベッドフレームのサイドを形成する第１サイドボード及び第２サイドボードと、これら第１サイドボード及び第２サイドボードの内側にベッド前後方向に沿ってそれぞれ設けられたクッション受板と、これらクッション受板の上面にベッド前後方向に沿って形成された複数の第１クッション挿入穴と、これら第１クッション挿入穴に下端部が挿入されてクッション受板に配設される円柱形状の複数のクッションゴムと、これらクッションゴムの上に並んで載置されると共に底面に前記クッションゴムの上端部が挿入する第２クッション挿入穴が形成された複数のスノコと、これらスノコの上に配設されると共に布団が敷かれる通気性シートと、を有してなる布団用ベッドであって、前記クッションゴムのうち、ベッドに仰向けに寝た場合に臀部周辺が対応するスノコを支持するクッションゴムを軟質ゴムで形成し他の身体の部位が対応するスノコを支持するクッションゴムを硬質ゴムで形成してなることを特徴としている。
請求項４の考案は、前記スノコを桐材で形成したことを特徴としている。
【考案の効果】
【０００５】
本考案の布団用ベッドは、ベッドフレームに配設されたスノコの上に通気性に優れた通気性シートが配設され、その通気性シートの上に布団が敷かれるので通気性に優れているという優れた効果を有する。
また、本考案の布団用ベッドは、仰向けに寝た場合に臀部周辺が対応するスノコを支持するクッションは他の部位に対応するスノコを支持するクッションに比べて軟質材料で形成されているので、臀部周辺が少し沈んだ状態となることにより背中部の反り返りを阻止して安眠を得易い体勢を得ることができるという優れた効果を有する。
【考案を実施するための最良の形態】
【０００６】
考案を実施するために最良の形態の例として以下のような実施例を示す。
【実施例１】
【０００７】
図１〜図４には本考案に係る布団用ベッドの一実施例が示されている。
図１に示されるように、布団用ベッド１０のベッドフレーム１２はヘッドボード１４とフットボード１６と第１サイドボード１８と第２サイドボード２０とによって平面視矩形枠状に形成されている。
前記ヘッドボード１４とフットボード１６の高さ寸法は第１サイドボード１８と第２サイドボード２０の高さ寸法より高く形成され、ヘッドボード１４の下端面１４Ａとフットボード１６の下端面１６Ａのみが床面に当接するようになっている。
前記第１サイドボード１８と第２サイドボード２０の内側には布団用ベッド１０の前後方向に沿ってそれぞれクッション受板２２が互いに対向するように突設されている。これらクッション受板２２には第１クッション挿入穴２４が布団用ベッド１０の前後方向に沿って１８個形成されている。
これら第１クッション挿入穴２４にはクッションとしての円柱形状のクッションゴム２６の下端部が挿入されるようになっている。このクッションゴム２６は天然ゴムで高さ寸法が５０ｍｍで直径が２５ｍｍに形成されている。なお、前記クッションゴム２６は硬質ゴムで製造された硬質クッションゴム２６Ａと軟質ゴムで製造された軟質クッションゴム２６Ｂの２タイプが用意されている。そして、前記ヘッドボード１４側から数えて１個目から７個目までのクッション挿入穴２４と１４個目から１８個目までのクッション挿入穴２４には前記硬質クッションゴム２６Ａの下端部が挿入されて硬質クッションゴム２６Ａは立ち上がった状態で配置されている。
また、布団用ベッド１０を使用した場合に使用者の臀部周辺が対応する位置である前記ヘッドボード１４側から数えて８個目から１３個目までのクッション挿入穴２４には前記軟質クッションゴム２６Ｂの下端部が挿入されて軟質クッションゴム２６Ｂは立ち上がった状態で配置されている。
前記クッションゴム２６の上にはスノコ３０が載置されるようになっている。このスノコ３０は第１スノコ３０Ａ，第２スノコ３０Ｂ，第３スノコ３０Ｃ，第４スノコ３０Ｄ，第５スノコ３０Ｅ，第６スノコ３０Ｆ，第７スノコ３０Ｇ，第８スノコ３０Ｈ，第９スノコ３０Ｉの９個から構成されている。これら第１スノコ３０Ａ，第２スノコ３０Ｂ，第３スノコ３０Ｃ，第４スノコ３０Ｄ，第５スノコ３０Ｅ，第６スノコ３０Ｆ，第７スノコ３０Ｇ，第８スノコ３０Ｈ，第９スノコ３０Ｉは防虫、防湿効果に優れ、しかも柔らかくて断熱効果の高い桐材で同一形状に形成されている。
図４に示されるように、これら第１スノコ３０Ａ，第２スノコ３０Ｂ，第３スノコ３０Ｃ，第４スノコ３０Ｄ，第５スノコ３０Ｅ，第６スノコ３０Ｆ，第７スノコ３０Ｇ，第８スノコ３０Ｈ，第９スノコ３０Ｉの下端面には前記クッションゴム２６の上端部が挿入される第２クッション挿入穴３４が前後方向左右に２個ずつ形成されている（なお、図４においては第１スノコ３０Ａのみを縦断面図で示す）。これにより、前記クッションゴム２６の上端部は第２クッション挿入穴３４に挿入されるようになっている。
従って、図３に示されるように前記スノコ３０はクッションゴム２６によって確実に保持されるようになっている。
図１に示されるように、前記第１スノコ３０Ａ，第２スノコ３０Ｂ，第３スノコ３０Ｃ，第４スノコ３０Ｄ，第５スノコ３０Ｅ，第６スノコ３０Ｆ，第７スノコ３０Ｇ，第８スノコ３０Ｈ，第９スノコ３０Ｉの上にはメッシュ生地でシート状に形成された通気性シートであるメッシュシート３６が配設されるようになっている。このメッシュシート３６の先端面３６Ａと後端面３６Ｂにはスノコ固定用ベルト３８が設けられ、これらスノコ固定用ベルト３８を前記第１スノコ３０Ａ及び第９スノコ３０Ｉに巻き付けることにより、メッシュシート３６は確実に取り付けられるようになっている。
図２に示されるように、このメッシュシート３６の上には布団３８が敷かれるようになっている。
【０００８】
次に、前記実施例の布団用ベッド１０の作用を説明する。
この布団用ベッド１０をベッドとして使用する場合は図２に示されるようにメッシュシート３６の上に布団３８を敷くことにより布団用ベッド１０を使用することができる。
前記布団３８の下に位置するメッシュシート３６はメッシュ生地で形成され、また、メッシュシート３６の下にはスノコ３０が配設されている。従って、空気はスノコ３０及びメッシュシート３６を通過して上下移動できるので布団用ベッド１０は通気性に優れ、布団３８を常に乾燥させた状態で使用することができるので安眠を提供し易い。
また、布団用ベッド１０に仰向けの状態で寝ると使用者の臀部周辺に対応する第４スノコ３０Ｄ，第５スノコ３０Ｅ，第６スノコ３０Ｆ，第７スノコ３０Ｇは軟質クッションゴム２６Ｂによって支持されている。
従って、背中部に比べて少し出っ張っている臀部周辺を支持する第４スノコ３０Ｄの後部と第５スノコ３０Ｅ，第６スノコ３０Ｆと第７スノコ３０Ｇは少し沈んだ状態になり、これに伴い臀部周辺も背中部に比べて少し沈んだ状態になる。
この結果、仰向け状態に寝ても背中部が少し反り返る体勢になるのを阻止することができるので身体がリラックスして、安眠し易い状態になる。
なお、布団用ベッド１０の前記スノコ３０は防虫、防湿効果に優れ、しかも柔らかくて断熱効果の高い素材である桐材で形成されているので、より安眠に貢献することができる。
【０００９】
なお、実施例ではクッションとしてゴムで形成されたクッションゴム２６を使用したが、クッション性を有するものであればゴムに限定されるものでないことは勿論である。
また、実施例では通気性シートとしてメッシュ生地で形成したメッシュシート３６を使用したが、通気性を有する素材で形成した通気性シートであればメッシュシート３６に限定されるものでないことは勿論である。
【図面の簡単な説明】
【００１０】
【図１】実施例の布団用ベッドの分解斜視図である。
【図２】実施例の布団用ベッドの使用状態を示す全体斜視図である。
【図３】実施例の布団用ベッドの一部拡大縦断面図である。
【図４】実施例の布団用ベッドのスノコの拡大縦断面図である。
【符号の説明】
【００１１】
１０    布団用ベッド
１２    ベッドフレーム
１４    ヘッドボード
１６    フットボード
１８    第１サイドボード
２０    第２サイドボード
２２    クッション受板
２４    第１クッション挿入穴
２６    クッションゴム
２６Ａ  硬質クッションゴム
２６Ｂ  軟質クッションゴム
３０    スノコ
３４    第２クッション挿入穴
３６    メッシュシート
【図１】
0003105850.tif 000003
【図２】
0003105850.tif 000004
【図３】
0003105850.tif 000005
【図４】
0003105850.tif 000006